(57)【特許請求の範囲】
【請求項１】
同一データをレピティションして複数のサブキャリアに割り当てて送信するＯＦＤＭ通信装置であって、
送信データの種類に応じて当該送信データのレピティション数を設定する設定手段と、  前記レピティション数で前記送信データをレピティションし、レピティションされた送信データを前記複数のサブキャリアに割り当てて送信する送信手段と、を具備し、
前記送信手段は、多値変調が施された送信データに対し、前記誤り訂正能力への寄与が大のデータと前記誤り訂正能力への寄与が小のデータとが前記複数のサブキャリアにおいて混じり合わないように前記割り当てを行う、
ＯＦＤＭ通信装置。
【請求項２】
前記送信データは、
誤り訂正符号化され、かつ、誤り訂正能力への寄与が大のデータと誤り訂正能力への寄与が小のデータとを含み、
前記設定手段は、
前記誤り訂正能力への寄与が大のデータのレピティション数を前記誤り訂正能力が小のデータのレピティション数よりも大きく設定する、
請求項１記載のＯＦＤＭ通信装置。
【請求項３】
前記誤り訂正符号化はターボ符号化であり、
前記誤り訂正能力への寄与が大のデータはシステマチックビットであり、
前記誤り訂正能力への寄与が小のデータはパリティビットである、
請求項２記載のＯＦＤＭ通信装置。
【請求項４】
前記設定手段は、
誤り訂正能力を最大とする、前記システマチックビットおよび前記パリティビットの比に基づいて、前記システマチックビットのレピティション数と前記パリティビットのレピティション数とを設定する、
請求項３記載のＯＦＤＭ通信装置。
【請求項５】
前記設定手段は、
全送信データのレピティション数の総和が所定値となるように各送信データのレピティション数を設定する、
請求項１記載のＯＦＤＭ通信装置。
【請求項６】
前記設定手段は、
特定の送信データに対して複数のレピティション数を設定し、複数のＯＦＤＭシンボルにおいて前記複数のレピティション数を均等に使用する、
請求項１記載のＯＦＤＭ通信装置。
【請求項７】
請求項１記載のＯＦＤＭ通信装置を具備する通信端末装置。
【請求項８】
請求項１記載のＯＦＤＭ通信装置を具備する基地局装置。
【請求項９】
同一データをレピティションして複数のサブキャリアに割り当てて送信するＯＦＤＭ通信方法であって、
送信データの種類に応じて当該送信データのレピティション数を設定する設定ステップと、
前記レピティション数で前記送信データをレピティションし、レピティションされた送信データを前記複数のサブキャリアに割り当てて送信する送信ステップと、を具備し、
前記送信ステップでは、多値変調が施された送信データに対し、前記誤り訂正能力への寄与が大のデータと前記誤り訂正能力への寄与が小のデータとが前記複数のサブキャリアにおいて混じり合わないように前記割り当てを行う、
ＯＦＤＭ通信方法。
【発明の詳細な説明】
【技術分野】
【０００１】
本発明は、ＯＦＤＭ（Orthogonal Frequency Division Multiplexing）方式を用いて通信を行うＯＦＤＭ通信装置およびＯＦＤＭ通信方法に関する。
【背景技術】
【０００２】
近年、移動体通信においては、音声以外に画像やデータ等の様々な情報が伝送の対象になっている。これに伴って、高信頼かつ高速な伝送に対する必要性がさらに高まっている。しかし、移動体通信において高速伝送を行う場合、マルチパスによる遅延波の影響が無視できなくなり、周波数選択性フェージングにより伝送特性が劣化する。
【０００３】
周波数選択性フェージング対策技術の一つとして、ＯＦＤＭ方式に代表されるマルチキャリア通信が注目されている。マルチキャリア通信は、周波数選択性フェージングが発生しない程度に伝送速度が抑えられた複数のサブキャリアを用いてデータを伝送することにより、高速伝送を行う技術である。特に、ＯＦＤＭ方式は、データが配置される複数のサブキャリアの周波数が相互に直交しているため、マルチキャリア通信の中でも最も周波数利用効率が高く、また、比較的簡単なハードウェア構成で実現できる。このため、ＯＦＤＭ方式は、第４世代移動体通信に採用される通信方式の候補として注目されており、様々な検討が加えられている。
【０００４】
また、ＯＦＤＭ方式において、さらなる受信誤り対策として、同一のデータシンボルを複数個のシンボルに複製（レピティション）して、複数のサブキャリアにマッピングしてから、すなわち、周波数軸方向に同一データを複数配置してから送信する技術が存在する（例えば、非特許文献１参照）。この技術を適用したＯＦＤＭ通信装置では、レピティション数（複製の個数）をＲＦ（Repetition Factor）とすると、それぞれの送信シンボルはＲＦ個にコピーされ、そのシンボルが周波数軸上に配置されて送信される。このＲＦは、ＣＤＭＡ方式における拡散率に相当するパラメータということができる。
【非特許文献１】前田、新、岸山、および佐和橋 共著「下りリンクブロードバンドチャネルにおけるＯＦＣＤＭとＯＦＤＭの特性比較」信学技報ＲＣＳ２００２−１６２、２００２年８月
【発明の開示】
【発明が解決しようとする課題】
【０００５】
しかしながら、上記ＯＦＤＭ通信装置には、まだ通信性能を改善する余地がある。何故なら、上記ＯＦＤＭ通信装置では、１フレーム中のすべてのシンボルにおいてＲＦが固定だからである。例えば、上記ＯＦＤＭ通信装置から送信される信号のフレームフォーマットの一例を図１に示すと、この図からわかるように、全てのデータシンボルＳ１〜Ｓ６がレピティション数ＲＦ＝４でレピティションされ、サブキャリア方向（周波数軸方向）に配置される。このレピティション方法が下記に示すように性能低下を引き起こしている。
【０００６】
例えば、送信データに対してターボ符号化による誤り訂正符号化が行われている場合、図２に示すような興味深い特性が現れる。この図は、システマチックビットおよびパリティビットのそれぞれのレピティション数を変化させた場合の誤り率特性のシミュレーション結果を示す図である。ここで、横軸は、パリティビットのビット数とシステマチックビットのビット数との比（Ｐ／Ｓ比）となっている。
【０００７】
この図からわかるように、システマチックビットおよびパリティビットのそれぞれのレピティション数を変化させた場合の誤り率特性の曲線には最小点が存在する。しかし、上
記ＯＦＤＭ通信装置のように、システマチックビット、パリティビット共に同一のレピティション数として固定している場合（図中のＰ／Ｓ比＝４／４の点）には、誤り率特性は最小点から離れた特性を示すため、結果として通信性能が低下する。一方、Ｐ／Ｓ比を３／５とすることができれば、最小点に近い誤り率特性を示すことがわかる。よって、上記の最小点に近い誤り率特性を示すレピティション方法を実施することにより、より優れた誤り率特性を示すようになり、ＯＦＤＭ通信装置の通信性能が向上することがわかる。
【０００８】
なお、システマチックビットおよびパリティビットのレピティション数を上記のように設定することによって誤り率特性が改善する理由は、システマチックビットは、誤り訂正符号においてパリティビットよりも尤度の影響が大きいためと考えられる。よって、システマチックビットの品質をパリティビットの品質に比べて良くすることにより、誤り率特性が改善する。
【０００９】
よって、本発明の目的は、送信データに最適なレピティション数を設定することを可能とし、これにより誤り率特性を改善し、通信品質を向上させることができるＯＦＤＭ通信装置およびＯＦＤＭ通信方法を提供することである。
【課題を解決するための手段】
【００１０】
本発明の態様の１つに係るＯＦＤＭ通信装置は、送信データの種類に応じて当該送信データのレピティション数を設定する設定手段と、前記レピティション数で前記送信データをレピティションして送信する送信手段と、を具備する構成を採る。
【００１１】
また、上記の構成において、前記送信データは、誤り訂正符号化され、かつ、誤り訂正能力への寄与が大のデータと誤り訂正能力への寄与が小のデータとを含み、前記設定手段は、前記誤り訂正能力への寄与が大のデータのレピティション数を前記誤り訂正能力が小のデータのレピティション数よりも大きく設定する。
【００１２】
例えば、前記誤り訂正符号化がターボ符号化である場合、前記誤り訂正能力への寄与が大のデータはシステマチックビットであり、前記誤り訂正能力への寄与が小のデータはパリティビットである。
【発明の効果】
【００１３】
本発明によれば、送信データに最適なレピティション数を設定することを可能とし、これにより誤り率特性を改善し、通信品質を向上させることができる。
【発明を実施するための最良の形態】
【００１４】
以下、本発明の実施の形態について、添付図面を参照して詳細に説明する。
【００１５】
（実施の形態１）
図３は、本発明の実施の形態１に係るＯＦＤＭ通信装置から送信される信号のフォーマットの一例を示す図である。
【００１６】
誤り率特性が図２に示すような特性を示す場合には、Ｐ／Ｓ比を３／５とすることにより、誤り率特性を改善できることは既に説明した通りである。そこで、本実施の形態では、システマチックビットのレピティション数を５に設定し、パリティビットのレピティション数を３に設定する。以下、このフォーマットの送信信号を生成するＯＦＤＭ通信装置の構成について説明していく。
【００１７】
図４は、上記のフォーマットの送信信号を生成するＯＦＤＭ通信装置、すなわち、本実施の形態に係るＯＦＤＭ通信装置の主要な構成を示すブロック図である。なお、ここでは、誤り訂正符号化としてターボ符号化を採用する場合、および変調方式としてＢＰＳＫ（Binary Phase Shift Keying）を採用する場合を例にとって説明する。
【００１８】
本実施の形態に係るＯＦＤＭ通信装置は、大別して、送信処理系統と受信処理系統とからなり、送信処理系統は、誤り訂正符号化部１０１、変調部１０２、レピティション部１０３、マッピング部１０４、ＯＦＤＭ送信部１０５、および送信ＲＦ(Radio Frequency)部１０６を備え、受信処理系統は、受信ＲＦ部１５１、品質情報抽出部１５２、レピティション数決定部１５３、システマチックビットレピティション数決定部１５４、およびパリティビットレピティション数決定部１５５を備える。なお、アンテナ１０７は、送信処理系統と受信処理系統とで共用である。
【００１９】
まず、上記のＯＦＤＭ通信装置の送信処理系統について説明する。
【００２０】
誤り訂正符号化部１０１は、送信データの情報ビットに対してターボ符号化による誤り訂正符号化を施し、生成されるシステマチックビットＳおよびパリティビットＰをそれぞれ変調部１０２−１、１０２−２に出力する。
【００２１】
変調部１０２−１は、誤り訂正符号化部１０１から出力されたシステマチックビットＳに対し、ＢＰＳＫ方式による変調処理を施し、変調後のシステマチックビットＳをレピティション部１０３−１に出力する。同様に、変調部１０２−２は、誤り訂正符号化部１０１から出力されたパリティビットＰに対し、ＢＰＳＫ方式による変調処理を施し、変調後のパリティビットＰをレピティション部１０３−２に出力する。
【００２２】
レピティション部１０３−１は、システマチックビットレピティション数決定部１５４の指示に従い、システマチックビットＳを所定の数だけレピティションし、マッピング部１０４に出力する。具体的には、レピティション部１０３−１は、変調部１０２−１から出力された変調後のシステマチックビットＳの複製を、システマチックビットレピティション数決定部１５４から指示されたレピティション数個だけ生成し、これをマッピング部１０４に出力する。同様に、レピティション部１０３−２は、パリティビットレピティション数決定部１５５の指示に従い、パリティビットＰを所定の数だけレピティションし、マッピング部１０４に出力する。
【００２３】
マッピング部１０４は、レピティション部１０３−１、１０３−２から出力される各複製シンボルを、時間軸方向および周波数軸方向の２次元方向に配置された複数のサブキャリアにマッピング（重畳）し、ＯＦＤＭ送信部１０５に出力する。
【００２４】
ＯＦＤＭ送信部１０５は、各サブキャリアにマッピングされた送信シンボルに対し、逆高速フーリエ変換（ＩＦＦＴ）、ガードインターバル付加等のＯＦＤＭ送信処理を施し、
送信ＲＦ部１０６に出力する。
【００２５】
送信ＲＦ部１０６は、ＯＦＤＭ送信部１０５から出力された信号にＤ／Ａ変換、アップコンバート等の所定の無線処理を施し、アンテナ１０７を介してこれを無線送信する。
【００２６】
次に、本実施の形態に係るＯＦＤＭ通信装置の受信処理系統について説明する。なお、ここで説明する受信処理は、通常の受信処理、すなわち受信データを得ることを目的とした処理ではなく、上記の送信処理のレピティションにおいて使用されるレピティション数を決定するための処理である。本実施の形態に係るＯＦＤＭ通信装置の通常の受信処理については、構成およびその説明を省略する。
【００２７】
受信ＲＦ部１５１は、アンテナ１０７を介して受信された信号にダウンコンバート、Ａ／Ｄ変換等の所定の無線処理を施し、得られるベースバンド信号を品質情報抽出部１５２に出力する。
【００２８】
品質情報抽出部１５２は、受信ＲＦ部１５１から出力されるベースバンド信号から品質情報を抽出し、レピティション数決定部１５３に通知する。ここで、品質情報とは、通信相手のＯＦＤＭ通信装置において観測された、ＳＩＲ（Signal-to-Interference Ratio）、ＣＩＲ（Carrier to Interference Ratio）、ＲＳＳＩ（Received Signal Strength Indicator）等の受信品質に関する情報、すなわち伝搬路環境に関する情報である。
【００２９】
レピティション数決定部１５３は、品質情報抽出部１５２から出力される品質情報に基づいて、必要なレピティション数、すなわち、通信相手のＯＦＤＭ通信装置における受信品質が所定レベル以上を満たすような送信信号のレピティション数を決定する。このレピティション数は、システマチックビットレピティション数決定部１５４およびパリティビットレピティション数決定部１５５の双方に通知される。
【００３０】
システマチックビットレピティション数決定部１５４は、レピティション数決定部１５３から通知されるレピティション数に基づいて、後述の方法により、送信データの種類（ここではシステマチックビット）に最適なレピティション数を決定し、これをレピティション部１０３−１に指示する。
【００３１】
パリティビットレピティション数決定部１５５も同様に、レピティション数決定部１５３から通知されるレピティション数に基づいて、後述の方法により、送信データの種類（ここではパリティビット）に最適なレピティション数を決定し、レピティション部１０３−２に指示する。
【００３２】
レピティション部１０３−１およびレピティション部１０３−２は、前述の通り、システマチックビットレピティション数決定部１５４およびパリティビットレピティション数決定部１５５からの指示に従い、各ビットを所定の数だけレピティションし、マッピング部１０４に出力する。
【００３３】
次いで、上記のシステマチックビットレピティション数決定部１５４およびパリティビットレピティション数決定部１５５における各ビットのレピティション数の決定方法について、より詳細に説明する。
【００３４】
システマチックビットレピティション数決定部１５４およびパリティビットレピティション数決定部１５５は、誤り率特性を最も良くするＰ／Ｓ比を予め知っている。例えば、誤り率特性が図２に示されるような場合には、最適なＰ／Ｓ比は３／５である。そこで、システマチックビットレピティション数決定部１５４およびパリティビットレピティショ
ン数決定部１５５は、レピティション数決定部１５３から通信相手のＯＦＤＭ通信装置の受信品質を所定レベル以上とするレピティション数を通知されたら、このレピティション数を満たしつつ、上記のＰ／Ｓ比も満たすようなシステマチックビットおよびパリティビットのそれぞれのレピティション数を決定する。このレピティション数は、レピティション数決定部１５３から新たなレピティション数が通知されるまで継続して使用される。
【００３５】
より詳細には、レピティション数決定部１５３から通知される、システマチックビットおよびパリティビット全体のレピティション数をＲＦとし、システマチックビットのレピティション数をＲＦＳ、パリティビットのレピティション数をＲＦＰとすると、システマチックビットレピティション数決定部１５４およびパリティビットレピティション数決定部１５５は、以下の式（１）および（２）の双方を満たすＲＦＳおよびＲＦＰを求める。
ＲＦ＝（ＲＦＳ＋ＲＦＰ）／２    ・・・（１）
ＲＦＰ／ＲＦＳ＝３／５          ・・・（２）
【００３６】
具体的な例を挙げるとすると、例えば、Ｒ＝１／２のターボ符号において、レピティション数決定部１５３から通知されるレピティション数が４である場合、システマチックビットレピティション数決定部１５４は、システマチックビットのレピティション数を５とし、パリティビットレピティション数決定部１５５は、パリティビットのレピティション数を３に設定する。そうすれば、システマチックビットおよびパリティビットの双方をトータルで見れば、レピティション数は４となっており、かつ、システマチックビットおよびパリティビットのそれぞれのレピティション数は異なり、Ｐ／Ｓ比が３／５となっている。なお、図３に既に示した信号フォーマットは、この具体例の条件を満たすものとなっている。
【００３７】
なお、上記の式（１）および（２）の解、すなわち、ＲＦＰおよびＲＦＳが常に整数値となる保証はない。かかる場合、システマチックビットレピティション数決定部１５４およびパリティビットレピティション数決定部１５５は、最適なＰ／Ｓ比に最も近い比を構成するレピティション数を求めれば良い。
【００３８】
以上説明したように、本実施の形態に係るＯＦＤＭ通信装置は、システマチックビットのレピティション数を決定するためにシステマチックビットレピティション数決定部１５４を備え、また、これとは別個に、パリティビットのレピティション数を決定するためにパリティビットレピティション数決定部１５５を備える。よって、本実施の形態によれば、システマチックビットおよびパリティビットのそれぞれのレピティション数を互いに別個に設定できる。
【００３９】
また、送信信号の種類、属性に応じて、誤り訂正符号化を施した後の送信信号のレピティション数を可変とすることもできる。すなわち、本実施の形態では、誤り訂正符号化としてターボ符号が用いられているので、送信ビットがシステマチックビットに該当するか、またはパリティビットに該当するかによってレピティション数を異ならせ、特に、システマチックビットのレピティション数がパリティビットのレピティション数よりも多くなるようにレピティション数を設定する。これにより、誤り訂正符号化後の送信信号のシステマチックビットは、パリティビットと比較してレピティション数が増えることとなるので、誤り訂正符号の性能、すなわち、誤り訂正能力が向上する。
【００４０】
また、以上の構成において、システマチックビットおよびパリティビットの双方をトータルで見たレピティション数は、通信相手のＯＦＤＭ通信装置の受信品質が所定レベル以上とするレピティション数とする。システマチックビットまたはパリティビットのレピティション数を増加させれば誤り訂正能力が向上するが、制限なしにレピティション数を増加させれば逆に通信システム全体の伝送レートが低下する。そこで、本実施の形態では、
トータルのレピティション数は固定とし、限られたレピティション数の中でシステマチックビットとパリティビットとにどのようにレピティション数を配分するかを制御する。
【００４１】
これにより、システマチックビットとパリティビットとでレピティション数を変更しつつも、レピティション後の信号のビット数（誤り訂正符号化後の送信信号の伝送レート）は所定値に維持したまま、誤り率特性を改善して通信品質を向上させることができる。
【００４２】
なお、本実施の形態では、全体のレピティション数を通信相手のＯＦＤＭ通信装置の受信品質を所定レベル以上とする値に固定し、システマチックビットおよびパリティビットのそれぞれのレピティション数の割合を変更する場合を例にとって説明した。しかし、必ずしも全体のレピティション数を上記の値に固定とする必要はなく、例えば、システマチックビットおよびパリティビットのそれぞれについて最低限必要なレピティション数がわかっているような場合には、これを少なくとも確保するようなレピティション数設定でも良い。
【００４３】
また、本実施の形態では、誤り訂正符号化としてターボ符号化を採用した場合を例にとって説明したが、誤り訂正符号化方式はこれに限定されず、他の方式であっても良い。かかる場合、レピティション数をデータの種類に応じて異ならせる際の基準としては、例えば、誤り訂正符号化後の信号のレピティション数を多くすることによって、誤り訂正を行った場合の訂正能力（誤り訂正能力）が他のデータに比べ大きいデータに対し、より多くのレピティション数を割り当てるようにする。すなわち、誤り訂正符号化を行った際の誤り訂正能力への寄与度を考慮して、これに応じて各データのレピティション数を決定すれば良い。
【００４４】
さらに、本実施の形態では、同一データをレピティションしてなる送信ビットをサブキャリア方向に連続して配置する場合（図３）を例にとって説明したが、各ビットは離れて配置されても良い。例えば、レピティション後の送信信号がインターリーバを経由していても良い。
【００４５】
また、本実施の形態では、設定した各レピティション数が、レピティション数決定部１５３から新たなレピティション数が通知されるまで継続して使用される場合、すなわち、ある期間の各ＯＦＤＭシンボルにおいて、各レピティション数は一定である場合を例にとって説明したが、例えば、各ＯＦＤＭシンボルごとにレピティション数を変更するようにしても良い。
【００４６】
また、本実施の形態では、システマチックビットレピティション数決定部１５４とパリティビットレピティション数決定部１５５とが互いに独立に動作する場合を例にとって説明したが、例えば、次のように動作しても良い。すなわち、システマチックビットレピティション数決定部１５４が、レピティション数の影響が大きいシステマチックビットのレピティション数の方を先に決定し、このレピティション数をパリティビットレピティション数決定部１５５に通知し、パリティビットレピティション数決定部１５５は、トータルのレピティション数からシステマチックビットのレピティション数を減算することによって、残りのパリティビットのレピティション数を設定するようにしても良い。
【００４７】
（実施の形態２）
実施の形態１では、パリティビットが１種類である場合を例にとって説明した。本実施の形態では、パリティビットが複数種類存在する場合の本発明の適用について説明する。
【００４８】
なお、本実施の形態に係るＯＦＤＭ通信装置の構成は、実施の形態１に示したＯＦＤＭ通信装置の構成と基本的に同一であり、その説明を省略する。
【００４９】
図５は、本実施の形態に係るレピティション方法による送信信号のフォーマットを示す図である。なお、ここでは、パリティビットがＰ、Ｒの２種類存在する場合を例にとって説明する。
【００５０】
この図に示すように、レピティション数ＲＦが４の条件下において、システマチックビットレピティション数決定部１５４がシステマチックビットのレピティション数を５に設定した場合、ＰおよびＲのレピティション後の信号が使用可能なサブキャリアの数は７である。この値は２で割り切れない値であるので、パリティビットレピティション数決定部１５５は、このままではＰおよびＲに同じレピティション数を割り当てることができない。そこで、本実施の形態では、ＰおよびＲのレピティション数を各ＯＦＤＭシンボルごとに交互に変更して設定する。すなわち、あるＯＦＤＭシンボルにおいてＰ＝３、Ｒ＝４とした場合は、次のＯＦＤＭシンボルにおいてＰ＝４、Ｒ＝３と設定する。
【００５１】
これにより、ＰおよびＲのレピティション数は２ＯＦＤＭシンボルで平均すると共に３．５となる。よって、ＰおよびＲのレピティション数を同一に保つことができる。
【００５２】
なお、本実施の形態では、パリティビットがＰ、Ｒの２種類である場合を例にとって説明したが、パリティビットが３種類以上存在する場合であっても基本的動作は同一である。例えば、パリティビットが３種類存在し、パリティビットのレピティションとして使用可能なサブキャリアの数が３で割り切れない場合には、３種類のレピティション数を設定し、各ＯＦＤＭシンボルごとに３種類のレピティション数を使い分けて、結果として均等に使用するようにすれば良い。このとき、３ＯＦＤＭシンボルまたはそれ以上のＯＦＤＭシンボルにおけるレピティション数の平均値が所望の値となるように制御する。
【００５３】
また、本実施の形態では、レピティション数を複数設定するデータがパリティビットである場合を例にとって説明したが、レピティション数を複数設定するデータはパリティビット以外でも良い。
【００５４】
（実施の形態３）
実施の形態１では、変調方式がＢＰＳＫである場合を例にとって説明した。本実施の形態では、変調多値数が２以上の場合、すなわち、シンボルが２ビット以上で構成されるＱＰＳＫ（Quadrature Phase Shift Keying）、１６ＱＡＭ（Quadrature Amplitude Modulation）、６４ＱＡＭ等の変調方式を採用した場合の本発明の適用について説明する。
【００５５】
なお、本実施の形態に係るＯＦＤＭ通信装置の構成も、実施の形態１に示したＯＦＤＭ通信装置の構成と基本的に同一であるため、その説明を省略する。
【００５６】
図６は、本実施の形態に係るレピティション方法による送信信号のフォーマットを示す図である。
【００５７】
本実施の形態に係るＯＦＤＭ通信装置は、ビットインタリーバをさらに備え、ＯＦＤＭ信号の２次元に配置されたそれぞれの変調信号においては、システマチックビットまたはパリティビットのみが配置されるようなビットインタリーブを行う。
【００５８】
具体的には、図６に示すように、２ビットで構成されるシンボルは、そのシンボルに含まれるすべてのビットの属性が同じになるようなビット配置とする。換言すると、異なる属性のビットが１つのＯＦＤＭシンボルで交じり合わないように各ビットを配置する。これにより、常に変調を施した後の信号に対しレピティションを行うことが可能となり、システマチックビットのレピティション数の制御とパリティビットのレピティション数の制
御とを分離して行えるので、構成を簡単にでき、回路規模を縮小することができる。
【００５９】
ＱＰＳＫ変調信号において、ＩｃｈとＱｃｈの２ビットを送信する際に、ＩｃｈとＱｃｈでシステマチックとパリティが混在しないように制御している。これにより、変調後のＱＰＳＫシンボルにおいてレピティション数を制御できるので、変調前のビットでレピティション数を制御するのに比較して回路規模を簡単にすることができる。すなわち、１シンボルあたりに送信できるビットの数をＭとすると、レピティション回路の規模を１／Ｍにすることが可能となる。
【００６０】
このように、本実施の形態によれば、１シンボル内においてシステマチックとパリティビットとが混ざらない。よって、レピティション数をシステマチックビットとパリティビットとで異ならせる場合に、変調後シンボルのレピティション数を変更するだけで良いので、構成が簡単になり、回路規模を縮小することができる。
【００６１】
以上、本発明の各実施の形態について説明した。
【００６２】
本発明に係るＯＦＤＭ通信装置およびＯＦＤＭ通信方法は、上記各実施の形態に限定されず、種々変更して実施することが可能である。例えば、各実施の形態は、適宜組み合わせて実施することが可能である。
【００６３】
本発明に係るＯＦＤＭ通信装置は、移動体通信システムにおける通信端末装置および基地局装置に搭載することも可能であり、これにより上記と同様の作用効果を有する通信端末装置、基地局装置、および移動体通信システムを提供することができる。
【００６４】
また、基地局はＮｏｄｅ Ｂと表され、移動局はＵＥと表され、サブキャリアはトーン（Tone）と表されることがある。
【００６５】
なお、ここでは、本発明をハードウェアで構成する場合を例にとって説明したが、本発明をソフトウェアで実現することも可能である。例えば、本発明に係るＯＦＤＭ通信方法の処理のアルゴリズムをプログラミング言語によって記述し、このプログラムをメモリに記憶しておいて情報処理手段によって実行させることにより、本発明のＯＦＤＭ通信装置と同様の機能を実現することができる。
【００６６】
また、上記各実施の形態の説明に用いた各機能ブロックは、典型的には集積回路であるＬＳＩとして実現される。これらは個別に１チップ化されていても良いし、一部または全てを含むように１チップ化されていても良い。
【００６７】
また、ここではＬＳＩとしたが、集積度の違いによって、ＩＣ、システムＬＳＩ、スーパーＬＳＩ、ウルトラＬＳＩ等と呼称されることもある。
【００６８】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。
【００６９】
さらに、半導体技術の進歩または派生する別技術により、ＬＳＩに置き換わる集積回路化の技術が登場すれば、当然、その技術を用いて機能ブロックの集積化を行っても良い。バイオ技術の適応等が可能性としてあり得る。
【００７０】
本明細書は、２００４年１２月２８日出願の特願２００４−３７９６５３に基づく。こ
の内容はすべてここに含めておく。
【産業上の利用可能性】
【００７１】
本発明に係るＯＦＤＭ通信装置およびＯＦＤＭ通信方法は、移動体通信システムにおける通信端末装置、基地局装置等の用途に適用できる。
【図面の簡単な説明】
【００７２】
【図１】送信信号のフレームフォーマットの一例を示す図
【図２】システマチックビットおよびパリティビットのそれぞれのレピティション数を変化させた場合の誤り率特性のシミュレーション結果を示す図
【図３】実施の形態１に係るＯＦＤＭ通信装置から送信される信号のフォーマットの一例を示す図
【図４】実施の形態１に係るＯＦＤＭ通信装置の主要な構成を示すブロック図
【図５】実施の形態２に係るレピティション方法による送信信号のフォーマットを示す図
【図６】実施の形態３に係るレピティション方法による送信信号のフォーマットを示す図
【図１】
0004415020.tif 000002
【図２】
0004415020.tif 000003
【図３】
0004415020.tif 000004
【図４】
0004415020.tif 000005
【図５】
0004415020.tif 000006
【図６】
0004415020.tif 000007